(57)【特許請求の範囲】
【請求項１】
セルを着脱可能に保持する複数のポートをもつ反応部、セル供給廃棄機構、検体分注器、試薬分注器及び動作を制御する制御部を備えた血液凝固分析装置において、
前記試薬分注器は１台のみを備え、該試薬分注器は１つの試薬分注位置でのみ試薬を分注するものであり、
前記セル供給廃棄機構、検体分注器及び試薬分注器は動作の１サイクルとしてポートへの１回のみのセル供給、セルへの１回のみの検体供給、セルへの試薬分注及びポートからの１回のみのセル排出を行うものであり、
前記動作の１サイクルにおける試薬分注動作が複数回である標準モードの動作パターンが記憶された標準モード記憶部と、
１サイクルの時間が標準モードの１サイクルよりも短く、前記動作の１サイクルにおける試薬分注動作が１回のみである高速モードの動作パターンが記憶された高速モード記憶部と、
標準モード又は高速モードのうち、いずれかの分析モードが選択される入力部と、
前記入力部の選択情報に基づいて、前記標準モード記憶部又は前記高速モード記憶部から動作パターンを読み出す分析モード選択部とを備え、
前記制御部は、前記分析モード選択部からの動作パターン情報に基づいて、各セルに対して標準モード又は高速モードのサイクルでそれぞれの動作パターンに基づく動作シーケンスを順に並べた測定プログラムを作成し、それに基づいて動作を制御するものである血液凝固分析装置。
【発明の詳細な説明】
【０００１】
【発明の属する技術分野】
本発明は臨床検査の分野において血液凝固反応を自動的に分析する分析装置に関するものである。
【０００２】
【従来の技術】
血液凝固反応を測定するには、キュベットに検体を入れ、そのキュベットを凝固反応測定部位（測光ポート）に移動させた後、試薬を分注して測定している。ほとんどの血液凝固反応分析装置では、測光ポートにはキュベットに光源から測定光を照射し、試料反応液による散乱光又は透過光を光検出器で検出する光度計を備えている。
【０００３】
血液凝固反応分析の処理能力を上げるために、測光ポートを複数個設け、測光ポートの数ずつのセルを単位として順次測光ポートに移送して並列処理を行なうようにした分析装置もある。
従来の血液凝固分析装置では、試薬分注機構は１つのみ備えているのが普通であり、動作の１サイクルに、セルの供給、検体供給、１回の試薬分注及びセル排出の動作が含まれる動作パターンに基づいて、測定プログラムを作成している。
【０００４】
【発明が解決しようとする課題】
血液凝固分析の測定項目には試薬分注が１度ですむもの（１試薬系凝固項目）と２度必要なもの（２試薬系凝固項目）がある。例えばＰＴ（プロトロンビン時間）、ＦＩＢ（フィブリノゲン）及びＴ・Ｈ（トロンボテスト・ヘパプラスチンテスト）は１試薬分注でよいが、ＡＰＴＴ（活性化部分トロンボプラスチン時間）は第１試薬を前もって分注し、一定時間活性化させた後、トリガーとなる第２試薬を分注しなければならない。
【０００５】
そのため、２試薬系凝固項目を含む測定プログラムでは、１サイクルの間に２つのセルに試薬を分注しなければならないタイミングを避けるために、２試薬系凝固項目の第２試薬の分注タイミングに相当する検体分析をスキップして作成されており、処理能力が低下していた。
このような不具合は２つの試薬分注器を備えることにより解消することができるが、血液凝固分析の測定項目はほとんどが１試薬系なので、２つの試薬分注器を備えることは無駄である。
【０００６】
しかし、血液凝固分析装置には、測光ポートとして、凝固項目を測定する散乱光度計と、２試薬系の比色項目を測定する比色光度計を備えているものがあり、選択した測定項目によって、１試薬系が多い場合と２試薬系が多い場合とがある。
そこで本発明は、キュベットの供給や廃棄、検体分注、試薬分注などの動作パターンを選択できるようにし、かつ処理能力を高めることを目的とするものである。
【０００７】
【課題を解決するための手段】
図１（Ａ）に本発明を表すブロック図、（Ｂ）に分析モードを選択する際の分析条件画面を示す。
標準モードの動作パターンが記憶された標準モード記憶部５２と、高速モードの動作パターンが記憶された高速モード記憶部５４が設けられている。標準モード記憶部５２、高速モード記憶部５４は、分析モード選択部５６にそれぞれ接続されている。分析モード選択部５６には、装置の動作を制御する制御部５８と、いずれかの分析モードが選択される入力部６０も接続されている（Ａ）。
【０００８】
すなわち、本発明は、複数のセルを着脱可能に保持する反応部、セルの供給廃棄機構、検体分注器、試薬分注器および動作を制御する制御部５８を備えた血液凝固分析装置であって、動作の１サイクルに、セルの供給、検体供給、複数回の試薬分注及びセル排出の動作が含まれる動作パターンが記憶された標準モード記憶部５２と、動作の１サイクルに、セルの供給、検体供給、１回の試薬分注及びセル排出の動作が含まれる動作パターンが記憶された高速モード記憶部５４と、標準モード又は高速モードのうち、いずれかの分析モードが選択される入力部６０と、入力部６０の選択情報に基づいて、標準モード記憶部５２又は高速モード記憶部５４から動作パターンを読み出す分析モード選択部５６とを備え、制御部５８は、分析モード選択部５６からの動作パターン情報に基づいて、測定プログラムを作成し、それに基づいて動作を制御するようにした血液凝固分析装置である。
【０００９】
図１（Ｂ）に示す分析条件画面で標準モード又は高速モードのうちいずれかの分析モードが選択されると、入力部６０によりその選択情報が分析モード選択部５６に送られる。分析モード選択部５６は、その選択情報に基づいて、標準モード記憶部５２又は高速モード記憶部５４から動作パターンを読み出し、制御部５８に送る。制御部５８は、その動作パターンに応じて、測定プログラムを作成し、動作を制御する。
【００１０】
【実施例】
図２は本発明を適用した血液凝固分析装置を表す平面図である。
キュベット反応部１には、複数の測光ポート２が円弧上に扇形に配列されている。測光ポート２は例えば３７℃に保温されている。測光ポート２として、散乱光量を測定する散乱ポートと、透過光量を測定する比色ポートが備えられている。散乱ポートは、図３に示されるように、検体と試薬が分注されるキュベット３４を１つずつ着脱可能に保持し、キュベット３４中の検体に対し測定光を照射するＬＥＤなどの光源３６と、試料液による測定光の散乱光を検出するために、測定光の入射方向と直交する方向の光軸上に設けられたフォトダイオードなどの光検出器３８とを備えている。比色ポートは、透過光量を測定する複数の比色ポートで共通の光源から所定の波長の光をキュベットに導く光ファイバと、測定光の入射方向と同じ光軸上に設けられたフォトダイオードなどの光検出器とを備えている。
【００１１】
図２に戻って説明を続けると、測光ポート２が配列された円弧に沿って移動するキュベット移送アーム４及び試薬プローブ６が設けられている。図４に示すように、キュベット移送アーム４と試薬プローブ６は上下方向に距離をもって配置されており、回転中心を共通にして、測光ポート２が配列された円弧上を異なる高さでそれぞれ回転するように設けられている。
【００１２】
キュベット移送アーム４は、キュベット反応部１の各測光ポート２にキュベットを装着したり、測光ポート２からキュベットを取り外したりする。キュベット移送アーム４は各測光ポート２のほか、キュベット供給部８からキュベットを受け取るキュベット供給位置Ａ、キュベットを廃棄するキュベット廃棄ポート１０、検体と試薬が分注されたキュベットを撹拌する撹拌ポート１２にそれぞれ移動し、停止できるように駆動される。キュベット移送アーム４はキュベット供給部８に溜っているキュベットをキュベット供給位置Ａで１つずつ取り出していずれかの測光ポート２にキュベットを移送して装着したり、いずれかの測光ポート２の測定終了後のキュベットを取り出してキュベット廃棄ポート１０に廃棄する。
【００１３】
図５は、キュベット供給部を表す概略構成図であり、（Ａ）は一部切欠き側面図、（Ｂ）はガイドレール周辺の上面図、（Ｃ）はキュベット供給部に配列されるキュベットを表す側面図、（Ｄ）はそのキュベットの断面図である。
キュベット３４は透明プラスチック成形品であり、キュベット３４の開口部の鍔３４ａは胴体部３４ｂよりも大きい寸法で形成されている。鍔３４ａ側の胴体部３４ｂの周囲に、帯状のしぼ（表面に凹凸が形成され透明度が低下している部分）３４ｃが形成されている。しぼ３４ｃは検体の測定に影響しない位置に形成されている。
キュベット供給部８には、このようなキュベット３４をランダムに複数個収容するキュベット収容部４０が設けられている。キュベット収容部４０には、キュベット３４の胴体部３４ｂより広く、鍔３４ａよりも狭い間隔で２枚の回転盤が配置されている。それらの回転盤の回転により、キュベット収容部４０に収容されたキュベット３４が開口部を上側にしてキュベット出口４２から順次排出される。
【００１４】
キュベット出口４２には、キュベット３４の胴体部３４ｂより広く、鍔３４ａよりも狭い間隔で２本のガイドレール４４の一端側が配置されている。ガイドレール４４は一端側を高く、他端側を低くして傾斜をもたせて配置されており、キュベット出口４２から供給されたキュベット３４が一端側から他端側にスライドすることにより、ガイドレール４４にキュベット３４が配列される。
【００１５】
ガイドレール４４の他端側には、ガイドレール４４をスライドしてきたキュベット３４を受け止めるとともに、配列されたキュベット３４を１個づつキュベット供給位置Ａに供給するキュベットスライド４６が設けられている。
ガイドレール４４の一端側には、キュベット３４が配列される空間を挾んで、光源としてのＬＥＤ４８と、ＬＥＤ４８からの光を検出する光検出器５０が配置されている。ＬＥＤ４８と光検出器５０は、キュベット３４がガイドレール４４の一端側に到達したときに、キュベット３４のしぼ３４ｃがＬＥＤ４８、光検出器５０間に存在するように設置されている。
【００１６】
キュベット収容部４０にキュベット３４が収容され、キュベットの供給が開始されると、ＬＥＤ４８が点灯する。ＬＥＤ４８、光検出器５０間にキュベット３４が存在しない場合は、ＬＥＤ４８の光が光検出器５０に検出される。その検出信号に対応してキュベット収容部４０内の回転盤が回転され、キュベット３４がキュベット出口４２に供給される。そのキュベット３４は、ガイドレール４４の一端側から他端側にスライドし、キュベットスライド４６に受け止められる。
【００１７】
ＬＥＤ４８の光が光検出器５０に検出される場合は、キュベット収容部４０からのキュベット３４の供給が繰り返され、ガイドレール４４に他端側から順にキュベット３４が配列されていく。
ガイドレール４４に配列されたキュベット３４がＬＥＤ４８、光検出器５０間の位置で停止すると、ＬＥＤ４８から光検出器５０側に照射される光はキュベット３４のしぼ３４ｃにより遮断され、ＬＥＤ４８の光が光検出器５０に検出されなくなるか、所定の閾値レベル以下に低下するので、その検出信号の変化に対応してキュベット収容部４０からのキュベット供給は停止される。
【００１８】
その後、キュベットスライド４６により、キュベット３４がキュベット供給位置Ａに供給されると、ガイドレール４４に配列されたキュベット３４は、鍔３４ａの寸法分だけキュベットスライド４６側にそれぞれスライドする。そして、ＬＥＤ４８、光検出器５０間にキュベット３４が存在しなくなるので、光検出器５０によりＬＥＤ４８の光が検出され、キュベット収容部４０からのキュベット供給が再開される。
キュベット３４のＬＥＤ４８、光検出器５０間に対応する位置にしぼ３４ｃが形成されているので、ＬＥＤ４８、光検出器５０間にキュベット３４が存在するときと、しないときとでは光検出器５０の検出出力が大きく異なり、閾値設定が容易になり、誤動作も解消することができる。
【００１９】
図２に戻って説明を続ける。円盤状の試薬テーブル１４の円周上に複数の試薬が配置されている。試薬テーブル１４は図に現われていない駆動機構によって往復方向に回転し、停止できるようになっている。試薬テーブル１４の裏側には、所定の位置の試薬容器の底面に対応する位置に磁気により磁性棒部材を回転させる磁性撹拌器（図示は省略）が配置されている。試薬容器にその磁性棒部材を入れておくことにより、その試薬容器が磁性撹拌器位置に移送されたときに、試薬が撹拌されて試薬の沈殿を抑制することができる。
【００２０】
試薬プローブ６は各測光ポート２のほか、試薬テーブル１４上の試薬吸引位置Ｂ，Ｃ、試薬プローブ６のノズルを洗浄する洗浄ポート１６にそれぞれ移動し、停止できるように駆動される。
試薬テーブル１４の外周には円盤状の検体テーブル１８が設けられており、検体テーブル１８の円周上に複数の検体が配置されている。検体テーブル１８は図に現われていない駆動機構によって試薬テーブル１４とは別々に往復方向に回転し、停止できるようになっている。
試薬テーブル１４と検体テーブル１８は互いに同心円上に配置されているので、コンパクトな配置にすることができる。
【００２１】
検体テーブル１８の付近には検体プローブ２０が備えられており、検体プローブ２０は検体テーブル１８の検体吸引位置Ｄに移送されてきた検体を吸引し、キュベット供給位置Ａにあるキュベットに検体を分注する。検体プローブ２０はキュベット供給位置Ａ、検体吸引位置Ｄのほか、検体プローブ２０のノズルを洗浄する洗浄ポート２２、緊急検体ポート２４、バッファポート２６、希釈液ポート２８、洗剤ポート３０、外部検体ポート３２にそれぞれ移動し、停止できるように駆動される。
試薬テーブル１４及び検体テーブル１８は、配置された検体と試薬の劣化を防止するため、図示しない冷却機構により所定の温度に冷却されている。測光ポートが３７℃に保温されていることから、試薬を分注したときの温度変化をさけるために、試薬プローブ６のノズルには湯が循環されており、冷却された試薬を加温して、試薬を分注するときには試薬が所定の温度以上になるようにしている。
【００２２】
図１に示すように、各部の動作を制御するために制御部５８が設けられている。その制御部５８による動作として、標準モード記憶部５２に記憶された、１サイクルに試薬分注を２回行なう標準モードと、高速モード記憶部５４に記憶された、１サイクルに試薬分注を１回行なう高速モードとが設けられている。
まず、標準モードについて説明する。
図６は、標準モードにおけるキュベット移送アーム４、試薬プローブ６、検体プローブ２０などによる動作を示したものであり、１サイクルが２０秒で構成されている。１サイクルにはキュベット供給、検体分注、キュベット排出、第１試薬分注、第１試薬分注後の撹拌、第２試薬分注、第２試薬分注後の撹拌の各動作が割り当てられており、それらの動作が含まれているとしても１サイクルには１回のみしか含まれていない。
【００２３】
キュベット供給部８により新しいキュベットがキュベット供給位置Ａに配置される。検体テーブル１８では検体の識別情報が検体容器にバーコードなどにより付されており、次に分注される検体容器の識別情報がバーコードリーダなどにより読み取られて測定項目が認識される。その後、その検体が検体吸引位置Ｄに移送される。検体プローブ２０により、バッファポート２６から所定量のバッファ又は希釈液ポート２８から所定量の生理食塩水が吸引された後、検体吸引位置Ｄにある検体が所定量吸引され、その検体がバッファ又は生理食塩水とともにキュベット供給位置Ａでキュベットに分注される（検分）。
【００２４】
キュベット移送アーム４により、検体が分注されたキュベットがキュベット供給位置Ａから空いている測光ポート２に移送される。そのキュベットは、測光ポート２での２サイクルの保温時間をおいた後、キュベット移送アーム４により撹拌ポート１２に移送される。
試薬テーブル１４では第１試薬が試薬吸引位置Ｂ又はＣに移送される。試薬プローブ６により、試薬吸引位置Ｂ又はＣにある第１試薬が所定量吸引され、撹拌ポート１２に装着された、検体が分注されたキュベットに第１試薬が分注される（Ｒ１分）。そして、撹拌ポート１２により、検体と第１試薬が撹拌される。第１試薬を分注するために試薬プローブ６のノズルが下降しているとき、そのノズルとキュベット移送アーム４との接触を防止するために、キュベット移送アーム４の動作は禁止されている。
撹拌後、第１試薬が分注されたキュベットは、キュベット移送アーム４により、撹拌ポート１２から測光ポート２に移送される。そのキュベットは、検体と第１試薬とを反応させるための、測光ポート２での９サイクルの第１反応時間をおいた後、キュベット移送アーム４により撹拌ポート１２に移送される。
【００２５】
試薬テーブル１４では第２試薬が試薬吸引位置Ｂ又はＣに移送される。試薬プローブ６により、試薬吸引位置Ｂ又はＣにある第２試薬が所定量吸引され、撹拌ポート１２に装着された、検体及び第１試薬が分注されたキュベットに第２試薬が分注される（Ｒ２分）。そして、そのキュベットの収容液が撹拌ポート１２により撹拌される。第２試薬を分注するために試薬プローブ６のノズルが下降しているときも、ノズルとキュベット移送アーム４との接触を防止するために、キュベット移送アーム４の動作が禁止されている。
撹拌後、第２試薬が分注されたキュベットは、キュベット移送アーム４により、撹拌ポート１２から測光ポート（比色ポート）２に移送される。そして、検体と第１試薬との反応による生成物と第２試薬とを反応させるための、約１４サイクルの第２反応時間をおいた後、透過光量が測定される。測定の終了した検体のキュベットは、キュベット移送アーム４によってキュベット廃棄ポート１０へ廃棄される（廃棄）。
【００２６】
この動作は、２種類の試薬を必要とする比色項目の測定を行なう場合の動作である。例えばＡＰＴＴ測定など、２種類の試薬を必要とする２試薬系凝固項目では、キュベットを測光ポート（散乱ポート）２に装着した状態で第２試薬の分注を行ない、第２試薬分注と同時に凝固反応過程測定を開始する。また、例えばＰＴ測定やＦｉｂ測定など、１種類の試薬のみ分注して行なう１試薬系凝固項目では、キュベットを測光ポート（散乱ポート）２に装着した状態で試薬の分注を行ない、試薬分注と同時に凝固反応過程測定を開始する。
このように、測定項目により撹拌動作の必要性が異なるので、１つの検体について複数の項目を測定するときには、図６に示す、第１試薬分注もしくは第２試薬分注又はその両方に関係するキュベット移送動作及び撹拌動作が省略されるサイクルがある。
【００２７】
図７に、標準モードにおける各項目ごとの基本パターン（動作パターン）を示す。ここでは、１つの検体について、比色、ＡＰＴＴ、ＰＴ及びＦｉｂの４項目を測定する場合を示す。
図７中での記号「Ｓ」はキュベット供給及び検体分注、「Ｒ１」は第１試薬分注、「Ｒ２」は第２試薬分注、「排」はキュベット排出を表わしている。
ＰＴとＦｉｂは同じ動作をする。ＰＴとＦｉｂは１サイクル目に、検体の分注とキュベットの供給が行なわれ、２サイクル保温した後、４サイクル目に第１試薬（トリガー試薬）が分注される。トリガー試薬分注後、散乱光量測定が開始され、血液凝固が検出されると測定が終了してキュベットが排出される。
【００２８】
ＡＰＴＴでも１サイクル目に、検体の分注とキュベットの供給が行なわれ、同じく２サイクルの保温時間をおいた後、４サイクル目に第１試薬が分注される。第１試薬分注後、活性化のために１８９秒間の一定時間をおいた後、１３サイクル目に第２試薬（トリガー試薬）が分注されて散乱光量の測定が開始され、血液凝固検出後にキュベットが排出される。
【００２９】
比色でも１サイクル目に、検体の分注とキュベットの供給が行なわれ、同じく２サイクルの保温時間をおいた後、４サイクル目に第１試薬が分注される。第１試薬分注後、検体と第１試薬との反応（第１反応）のために１８９秒間の一定時間をおいた後、１３サイクル目に第２試薬が分注される。第２試薬分注により、検体と第１試薬との反応による生成物と第２試薬との反応（第２反応）が開始され、２９７秒間、２７サイクル目まで透過光量の測定が行なわれる。このように、測定はレート法とエンドポイント法の両方で行なわれる。その後キュベットが排出される。
このようにして、１検体について４項目の測定が行なわれる。
【００３０】
図８に標準モードでの測光ポートの使用状況を示す。ここでは、１つの検体について、比色、ＡＰＴＴ、ＰＴ及びＦｉｂの４項目を測定する場合を示す。ただし、ＦｉｂもＰＴとして示してある。
図７に示されたように、いずれの項目においても、検体分注及びキュベット供給（Ｓ）から一定時間後に第１試薬を分注する（Ｒ１）。その後、測定項目に応じて、測光又は第２試薬分注（Ｒ２）を行なう。比色の場合は、第２試薬分注後、キュベットを比色ポートに装着する。ここでは、比色において、第２試薬分注以前のキュベット収容液を保温する測光ポート２として散乱ポートを使用しているが、比色ポートを用いてもよい。
この標準モードによれば、１時間あたり１８０テスト、すなわち、比色項目を含む４項目の測定を４５検体について行なうことができる。
【００３１】
次に、高速モードについて説明する。
図９は、高速モードにおけるキュベット移送アーム４、試薬プローブ６、検体プローブ２０などによる動作を示したものであり、１サイクルが１２秒で構成されている。１サイクルにはキュベット供給、検体分注、キュベット排出、試薬分注の各動作が割り当てられており、それらの動作が含まれているとしても１サイクルには１回のみしか含まれていない。
【００３２】
標準モードと同様にして、新しいキュベットがキュベット供給位置Ａに配置され、そのキュベットに、検体がバッファ又は生理食塩水とともに分注され（検分）、キュベット供給位置Ａから空いている測光ポート２に移送される。
試薬テーブル１４では所定の試薬が試薬吸引位置Ｂ又はＣに移送される。試薬プローブ６により、試薬吸引位置Ｂ又はＣにある試薬が所定量吸引され、測光ポート２に装着されたキュベットに試薬が分注される（Ｒ１分）。検体と試薬の撹拌は、試薬プローブから射出される試薬の勢いにより行なわれる。試薬を分注するために試薬プローブ６のノズルが下降しているとき、そのノズルとキュベット移送アーム４との接触を防止するために、キュベット移送アーム４の動作は禁止されている。
試薬分注と同時に凝固反応過程測定が開始される。測定の終了した検体のキュベットは、キュベット移送アーム４によってキュベット廃棄ポート１０へ廃棄される（廃棄）。
【００３３】
この動作は、例えばＰＴ測定やＦｉｂ測定など、１種類の試薬のみ分注して行なう１試薬系凝固項目の測定を行なう場合の動作である。例えばＡＰＴＴ測定など、２種類の試薬を必要とする２試薬系凝固項目では、まず第１試薬を分注し、活性化のための第１試薬分注から一定時間が経過した後、第２試薬の分注を行ない、第２試薬分注と同時に凝固反応過程測定を開始する。
このように、測定項目によっては１つのキュベットに対して２回の試薬分注の動作が必要になるので、そのような項目が含まれる場合には、図６に示す、キュベット供給動作及び検体分注動作、もしくはキュベット廃棄動作、又はそれらの動作すべてが省略されるサイクルがある。
【００３４】
図１０に、高速モードにおける各項目ごとの基本パターンを示す。ここでは、１つの検体について、ＡＰＴＴ、ＰＴ及びＦｉｂの３項目を測定する場合を示す。ここでは、比色項目は分析しないものとして説明する。
図１０中での記号「Ｓ」はキュベット供給及び検体分注、「Ｒ１」は第１試薬分注、「Ｒ２」は第２試薬分注、「排」はキュベット排出を表わしている。
ＰＴとＦｉｂは同じ動作をする。ＰＴとＦｉｂは１サイクル目に、検体の分注とキュベットの供給が行なわれ、４サイクル保温した後、６サイクル目に第１試薬（トリガー試薬）が分注される。トリガー試薬分注後、散乱光量測定が開始され、血液凝固が検出されると測定が終了してキュベットが排出される。
【００３５】
ＡＰＴＴでも１サイクル目に、検体の分注とキュベットの供給が行なわれ、同じく４サイクルの保温時間をおいた後、６サイクル目に第１試薬が分注される。第１試薬分注後、活性化のために１９２秒間の一定時間をおいた後、２２サイクル目に第２試薬（トリガー試薬）が分注されて散乱光量の測定が開始され、血液凝固検出後にキュベットが排出される。ここで、黒く塗りつぶしてある部分（１７サイクル目）は、もしそのサイクルで検体分注を行なえば、その検体の第１試薬分注のタイミングと別の検体でＡＰＴＴ測定を行なうものの第２試薬分注のタイミングとが同じサイクルで重なることがある場合に、その検体のキュベット供給と検体分注を１サイクルずらすことを意味している。このように、１サイクル中に２回の試薬分注の必要が生じないようにタイミングを制御している。
このようにして、１検体について３項目の測定が行なわれる。
【００３６】
図１１に標準モードでの測光ポートの使用状況を示す。ここでは、１つの検体について、ＡＰＴＴ、ＰＴ及びＦｉｂの３項目を測定する場合を示す。ただし、ＦｉｂもＰＴとして示してある。
図１０に示されたように、いずれの項目においても、検体分注及びキュベット供給（Ｓ）から一定時間後に第１試薬を分注する（Ｒ１）。その後、測定項目に応じて、測光又は第２試薬分注（Ｒ２）を行なう。高速モードでは、比色項目は分析しないので、比色ポートは使用されない。
この高速モードによれば、１時間あたり２２５テスト、すなわち、２試薬系凝固項目を含む３項目の測定を７５検体について行なうことができる。また、１試薬系凝固項目のみを測定する場合には、最大３００テストを行なうことができる。
【００３７】
図１（Ｂ）に示す分析条件画面でいずれかの分析モードが選択されると、入力部６０によりその選択情報が分析モード選択部５６に送られる。分析モード選択部５６は、その選択情報に基づいて、標準モード記憶部５２又は高速モード記憶部５４から動作パターンを読み出し、制御部５８に送る。制御部８は、その動作パターン及び測定項目に応じて、図８又は図１１に示したような測定プログラムを作成し、その測定プログラムに沿って、各機構の動作を制御する。
【００３８】
この実施例では、キュベット移送機構４と試薬プローブ６が、円弧状に一列に配置された測光ポート２上を移動する構成になっているが、本発明はこれに限定されるものではなく、測光ポート２の配列が直線状であっても、マトリックス状であっても、キュベット移送機構４と試薬プローブ６が異なる高さで測光ポート２上を移動する構成であればよい。
また、この実施例では検体テーブル１８としてターンテーブル方式のものを示しているが、ラック式のものであってもよい。また、試薬テーブル１４もターンテーブル式のものを示しているが、試薬プローブ６の軌跡上に試薬容器を配置してもよい。また、この実施例では、試薬テーブル１４と検体テーブル１８とは別々の駆動機構により回転されているが、同じ駆動機構により同時に回転回転させてもよい。
【００３９】
また、試薬プローブ４は検体分注を行なう機能も備えるようにし、検体プローブ２０が設置されていない構成にしてもよい。
この実施例では、標準モードとして、１サイクルに２回の試薬分注動作を行なう動作パターンを設定しているが、本発明はこれに限定されるものではなく、１サイクルに３回以上の試薬分注動作を行なう動作パターンを設定しておいてもよい。
また、この実施例の高速モードでは、凝固項目に限定して説明しているが、比色項目でも撹拌を必要としないものには適用することができる。
【００４０】
【発明の効果】
本発明では、動作の１サイクルに、セルの供給、検体供給、複数回の試薬分注及びセル排出の動作が含まれる動作パターンが記憶された標準モード記憶部と、動作の１サイクルに、セルの供給、検体供給、１回の試薬分注及びセル排出の動作が含まれる動作パターンが記憶された高速モード記憶部と、標準モード又は高速モードのうち、いずれかの分析モードが選択される入力部と、入力部の選択情報に基づいて、標準モード記憶部又は高速モード記憶部から動作パターンを読み出す分析モード選択部と、分析モード選択部からの動作パターン情報に基づいて、測定プログラムを作成し、それに基づいて制御を行なう制御部とを備え、動作パターンを選択できるようにし、測定項目に応じて適当な分析モードを入力部に入力することにより、制御部は標準モード記憶部又は高速モード記憶部に記憶された動作パターンに基づいて測定プログラムを作成するようにしたので、処理能力を高めることができる。
【図面の簡単な説明】
【図１】  （Ａ）は本発明を表すブロック図、（Ｂ）は分析モードを選択する際の分析条件画面を示す図である。
【図２】  本発明を適用した血液凝固装置を示す平面図である。
【図３】  同装置における測光ポートを示す平面図である。
【図４】  同装置におけるキュベット移送アーム及び試薬プローブを示す側面図である。
【図５】  キュベット供給部を表す概略構成図であり、（Ａ）は一部切欠き側面図、（Ｂ）はガイドレール周辺の上面図、（Ｃ）はキュベット供給部に配列されるキュベットを表す側面図、（Ｄ）はそのキュベットの断面図である。
【図６】  標準モードの動作の１サイクルの例を示す図である。
【図７】  標準モードの測定項目の基本パターンの例を示す図である。
【図８】  標準モードでの測光ポートの使用状況を示す図である。
【図９】  高速モードの動作の１サイクルの例を示す図である。
【図１０】  高速モードの測定項目の基本パターンの例を示す図である。
【図１１】  高速モードでの測光ポートの使用状況を示す図である。
【符号の説明】
１      キュベット反応部
２      測光ポート
４      キュベット移送アーム
６      試薬プローブ
８      キュベット供給部
１０      キュベット廃棄ポート
１２      撹拌ポート
１４，２２      試薬テーブル
１６      洗浄ポート
１８      検体テーブル
２０      検体プローブ
２４      緊急検体ポート
２６      バッファポート
２８      希釈液ポート
３０      洗剤ポート
３２      外部検体ポート
３４      キュベット
４０      キュベット収容部
４４      ガイドレール
４６      キュベットスライド
５２      標準モード記憶部
５４      高速モード記憶部
５６      分析モード選択部
５８      制御部
６０      入力部
【図１】
0004140127.tif 000002
【図２】
0004140127.tif 000003
【図３】
0004140127.tif 000004
【図４】
0004140127.tif 000005
【図５】
0004140127.tif 000006
【図６】
0004140127.tif 000007
【図７】
0004140127.tif 000008
【図８】
0004140127.tif 000009
【図９】
0004140127.tif 000010
【図１０】
0004140127.tif 000011
【図１１】
0004140127.tif 000012